(57)【要約】      （修正有）【課題】非接触ＩＣカードを紛失した場合に、速やかに該当するＩＤコードを無効化し、また間違って無効化した場合には速やかに再有効化する電子錠制御システムを提供する。【解決手段】非接触ＩＣカードをペアで登録しておき、紛失した非接触ＩＣカードに対応するもう１枚の非接触ＩＣカードを用いて、紛失したカードのＩＤコード登録を無効化する。間違って無効化した場合は同じ手順で再有効化する。あるいは、複数のカードをグループ登録しておいて、グループ毎に無効化する。更に複数のペア登録カードをまとめてグループにして登録しておいて、ペアでの登録無効化とグループでの登録無効化を同時に可能にする。この場合も必要なら同じ手順で再有効化する。【選択図】図１
0003144030.tif 000002
【実用新案登録請求の範囲】
【請求項１】
電気的な信号により解錠できる電子錠と、前記電子錠により施錠されるドアと、ＩＤコードを内蔵する非接触ＩＣカードと、前記ＩＤコードを非接触で読出し可能な、非接触ＩＣカード読取装置と、ＩＤコード情報とそれぞれのＩＤコード情報の有効／無効の情報とを保持するＩＤコード情報保持手段と、前記非接触ＩＣカード読取装置によって読取られたＩＤコードと前記ＩＤコード情報保持手段の保持する情報を照合し、有効な非接触ＩＣカードであると判断したら前記電子錠に解錠のための信号を送る、解錠判断手段を有する電子錠制御システムであって、
さらに、２個づつのＩＤコードのペアの関係を保持するＩＤコード・ペア情報保持手段と、あるＩＤコードを無効にする時には、所定の作業指示カードによって起動された後、ひとつの非接触ＩＣカードの読取で、それとペアの非接触ＩＣカードのＩＤコードをも特定して、無効化することができるＩＤコード・ペア無効化手段と、さらに無効にされたＩＤコードを再び有効にする時には、別の所定の作業指示カードによって起動された後、ひとつの非接触ＩＣカードの読取で、それとペアの非接触ＩＣカードのＩＤコードをも特定して、有効化することができるＩＤコード・ペア再有効化手段と、を備えたことを特徴とする電子錠制御システム。
【請求項２】
電気的な信号により解錠できる電子錠と、前記電子錠により施錠されるドアと、ＩＤコードを内蔵する非接触ＩＣカードと、前記ＩＤコード情報を非接触で読出し可能な、非接触ＩＣカード読取装置と、ＩＤコード情報とそれぞれのＩＤコード情報の有効／無効の情報を保持するＩＤコード情報保持手段と、前記非接触ＩＣカード読取装置によって読取られたＩＤコードと前記ＩＤコード情報保持手段の保持する情報を照合し、有効な非接触ＩＣカードであると判断したら、前記電子錠に解錠のための信号を送る、解錠判断手段を有する電子錠制御システムであって、
さらに、複数のＩＤコードをひとつのグループとして、複数のＩＤコードのグループ情報を保持するＩＤコード・グループ情報保持手段と、ＩＤコード・グループを無効にする時には、所定の作業指示カードによって起動された後、ひとつの非接触ＩＣカードの読取で、そのカードの属するグループ全てのＩＤコードを特定して、無効化することができるＩＤコード・グループ無効化手段と、さらに無効にされたＩＤコード・グループを再び有効にする時には、所定の作業指示カードによって起動された後、ひとつの非接触ＩＣカードの読取で、同じグループに属していたすべての非接触ＩＣカードのＩＤコードを特定して有効化することができるＩＤコード・グループ再有効化手段と、を備えたことを特徴とする電子錠制御システム。
【請求項３】
電気的な信号により解錠できる電子錠と、前記電子錠により施錠されるドアと、ＩＤコードを内蔵する非接触ＩＣカードと、前記ＩＤコードを非接触で読出し可能な、非接触ＩＣカード読取装置と、ＩＤコード情報とそれぞれのＩＤコードの有効／無効の情報を保持するＩＤコード情報保持手段と、前記非接触ＩＣカード読取装置によって読取られたＩＤコードと前記ＩＤコード情報保持手段の保持する情報を照合し、有効な非接触ＩＣカードであると判断したら、前記電子錠に解錠のための信号を送る、解錠判断手段を有する電子錠制御システムであって、
さらに、２個づつのＩＤコードのペアの関係を保持するＩＤコード・ペア情報保持手段と、あるＩＤコードを無効にする時には、所定の作業指示カードによって起動された後、ひとつの非接触ＩＣカードの読取で、それとペアの非接触ＩＣカードのＩＤコードをも特定して、無効化することができるＩＤコード・ペア無効化手段と、さらに無効にされたＩＤコードを再び有効にする時には、別の所定の作業指示カードによって起動された後、ひとつの非接触ＩＣカードの読取で、それとペアの非接触ＩＣカードのＩＤコードを特定して、有効化することができるＩＤコード・ペア再有効化手段と、さらに前記ペアのカードをさらに複数個集めてグループとして、その複数のグループへの所属情報とグループ毎の有効／無効の情報とを保持するＩＤコード・グループ情報保持手段と、ＩＤコード・グループを無効にする時には、更に別の所定の作業指示カードによって起動された後、ひとつの非接触ＩＣカードの読取で、そのカードの属するグループに属する全てのＩＤコードも無効化することができる、ＩＤコード・グループ無効化手段と、さらに、無効にされたＩＤコード・グループを再び有効にする時には、また更に別の所定の作業指示カードによって起動された後、ひとつの非接触ＩＣカードの読取で、同じグループに属していたすべての非接触ＩＣカードのＩＤコードを特定して有効化することができるＩＤコード・グループ再有効化手段と、を備えたことを特徴とする電子錠制御システム。
【考案の詳細な説明】
【技術分野】
【０００１】
本考案は、紛失した非接触ＩＣカードの登録抹消及び復旧が容易な、非接触ＩＣカードを用いる電子錠制御システムに関するものである。
【背景技術】
【０００２】
従来の、機械的な噛み合わせにより解錠する方式の錠では、鍵を紛失し、それが悪意のある第三者に渡った可能性がある場合に、その不正使用を防ぐには、錠を交換するしか方法がなかった。
しかし、ＩＤコードを内蔵する電子的な鍵を用いていれば、錠に登録されているＩＤコードを電子的に抹消するだけで、その鍵では、解錠できないようにすることができる。また、複数のＩＤコードを登録することができるので、一部の鍵のみを、使用不能にするといったことも電子的な処理で可能である。
【０００３】
電気的な信号により解錠できる錠は、電磁石により直接ドアを吸着する物や、かんぬきを電気モータやソレノイドで動かす物、あるいはラッチの固定をソレノイドで解除するものなど、様々な方式の物がある。ここでは、少なくとも電気的な信号で解錠できる錠を、電子錠と総称することにする。
【０００４】
また、ＩＤコード情報を保持する媒体としては、非接触で動作するカードの形状であれば、持ち歩いても、あまり苦にならないし、読取装置も電気的な接点や開口部が不要となる。ただし、最近は非接触ＩＣカードの機能を携帯電話に内蔵したものも出てきているので、ここでは、そのようなものも含めて非接触ＩＣカードと呼ぶものとする。
【０００５】
過去には、磁気カードも使われていたが、非接触ＩＣカードと比べて、磁気によるコードは偽造がしやすい、機械に通すなどの読取操作がわずらわしい、読取用のスリットが必要なので設置する場所も限定されるなどという問題点があった。ここでいう非接触ＩＣカードとは、ＩＣを内蔵し、無線通信などにより、読取装置に近づけるだけで、読取り可能なものとする。これにより、有効な非接触ＩＣカードを非接触ＩＣカード読取装置にかざすだけで、ドアを解錠することが可能になる。また、その内蔵するＩＤコードを電子錠システムに登録する場合や、登録を抹消する場合も、やはり、非接触ＩＣカード読取装置を用いることで、簡単にそれを行うことができる。
【０００６】
このような非接触ＩＣカードを用いて、登録や削除をする方法で、カード読取装置以外に特別なものを使用しない方法については、特許公報第２６８３３７９号に開示されている方法がある。これは、登録開始指示用のコマンドカードや、登録抹消開始指示用のコマンドカードを先にかざし、そののちに対象のカードをかざして、処理するカードを特定する方法である。
【０００７】
さて、特に多数の人が出入りするマンションエントランスや、複数の企業の入居したビルの入口ドアなどで、防犯のためにドアに施錠したいという場合には、ひとつの錠に対して、多くの人が鍵を所有することになる。もし、ここに機械的な錠を設ければ、しばらくすると、誰が合鍵を持っているかさえ、分からなくなってしまう。そのような場合、非接触ＩＣカードの鍵であれば、その鍵が個別に管理され、個別に登録や抹消が可能になるので、長期にわたって、意味のあるセキュリティを保つことができる。
【０００８】
このような場合の鍵の管理方法であるが、ＩＤコード自体を人間が可読可能な形で、カードに印刷するなどすると、偽造される可能性もあるので、ＩＤコード自体は、人の目に触れない形で内蔵させるのが良い。よって、ＩＤコード自体を紙に記録して管理するなどといったことは推奨できない。
【０００９】
また、さらに大きな問題がある。それは、非接触ＩＣカードを紛失してしまった場合に、そのカード登録の無効化処理をどのようにして行うのかという点である。紛失したカードは手元にないので、そのカード自体を使って処理することはできない。つまり、紛失したカードのＩＤコードが何であったのかを、どのようにして特定するかのが問題となる。
そのような場合、従来の家庭用の電子錠システムでは、一旦全てのカードの登録を抹消してから、使用するカードを再登録する方法をとるものが多い。しかし、マンションの集合エントランスの場合のように複数の他人がカードを所有している場合に、それを全部回収することは非常に困難である。それは、多くのテナントが入居しているビルのエントランスドアに施錠する場合も同様である。
【００１０】
一方、会社内部などで使われているような電子錠システムでは、非接触ＩＣカードの登録時にその使用者のデータと関連づけて登録してあるので、紛失の届けがあれば、その人の情報からＩＤコードを特定して、それを削除することができる。その操作には通常はパソコンが必要である。パソコンから電子錠への登録や削除を行うようになっている。しかし、マンションの集合エントランスのような場合は、パソコンを設置する場所もなく、管理者も常駐しない場合が多い。さらには、管理者が高齢でパソコンが使えないといったことも考えられる。また、個人情報を合わせて登録することは、その操作自体が煩わしいだけでなく、個人情報の管理といった問題まで生じかねない。
【００１１】
また、パソコンは不要で、登録時にＩＤコードに使用者の名前などの情報を合わせて登録させておいて、削除時にはその名前からＩＤコードを特定して削除できるようにした電子錠システムも存在する。しかし、その場合は、名前入力用の装置と煩わしい入力操作が必要で、さらに名前がダブらないようにする管理も必要であったり、削除時には検索のための表示装置が必要であったりして、パソコンを使う場合よりも、操作が難しくなる場合が多い。
【００１２】
また、特別なスイッチを設けて、そのスイッチによって、ＩＤコードの格納アドレスを指定して、登録や削除を行う方法が特許第３６２５２２１号に示されている。ここでは、管理カードを提示後にアドレスをスイッチで指定することにより、アドレス毎に登録もしくは削除ができるようにしたものである。この特許は磁気カードを使うものであるが、これを非接触ＩＣカードによって実現したとしても、アドレス設定のためのスイッチが必要であり、多数のアドレスを指定するためには、多数のスイッチもしくはテンキーなどが必要になってしまう。また、なんらかの方法でアドレスとカードの対応を記録する必要が出てくる。もちろん、操作ミスも増えると予想される。
【００１３】
さて、マンションの共用エントランスの入口ドアに非接触ＩＣカードにより制御される電子錠を設置した場合には、全住民に非接触ＩＣカードを持たせるか、携帯電話内蔵の非接触ＩＣカードを登録させるかしなければならない。その場合に、ひとりでも非接触ＩＣカードを紛失した場合には、直ちに、紛失したカードの登録を抹消しなければ、それを拾った不審者の侵入を許し、全住民に迷惑がかかる可能性がある。よって、紛失したひとつの非接触ＩＣカードを確実に特定して、その対応するＩＤコードのみを確実に抹消できる手段が必要になる。
また、万一、間違ったカードを抹消してしまった場合、間違って抹消されたカードを持つ人に多大な迷惑をかけることになるので、その場合は、速やかに復元できることも非常に重要な要件になる。
【００１４】
複数の会社が入居するビルの入口ドアなどでは、非接触ＩＣカードの管理は会社毎になされて、それぞれ複数の非接触ＩＣカードを保持する必要がある。その場合は、ビル全体の管理者が会社毎のグループに分けてＩＤコードの管理ができれば便利である。また、その場合でも、会社毎のグループ内部では、ＩＤコード１枚ごとに管理できたほうが良い。
【００１５】
【特許文献１】特許公報第２６８３３７９号
【特許文献２】特許公報第３６２５２２１号
【考案の開示】
【考案が解決しようとする課題】
【００１６】
解決しようとする問題点は、非接触ＩＣカードを紛失した際に、その非接触ＩＣカードを使用不能にする簡単な方法を提供することであり、さらに、あやまって使用不能にした場合には、それを簡単に復旧できるようにする方法を提供することにある。
【課題を解決するための手段】
【００１７】
そこで、本考案は、電気的な信号により解錠できる電子錠と、前記電子錠により施錠されるドアと、ＩＤコードを内蔵する非接触ＩＣカードと、前記ＩＤコードを非接触で読出し可能な、非接触ＩＣカード読取装置と、ＩＤコード情報とそれぞれのＩＤコード情報の有効／無効の情報とを保持するＩＤコード情報保持手段と、前記非接触ＩＣカード読取装置によって読取られたＩＤコードと前記ＩＤコード情報保持手段の保持する情報を照合し、有効な非接触ＩＣカードであると判断したら前記電子錠に解錠のための信号を送る、解錠判断手段を有する電子錠制御システムであって、
さらに、２個づつのＩＤコードのペアの関係を保持するＩＤコード・ペア情報保持手段と、あるＩＤコードを無効にする時には、所定の作業指示カードによって起動された後、ひとつの非接触ＩＣカードの読取で、それとペアの非接触ＩＣカードのＩＤコードをも特定して、無効化することができるＩＤコード・ペア無効化手段と、さらに無効にされたＩＤコードを再び有効にする時には、別の所定の作業指示カードによって起動された後、ひとつの非接触ＩＣカードの読取で、それとペアの非接触ＩＣカードのＩＤコードを特定して、有効化することができるＩＤコード・ペア再有効化手段と、を備えたことを特徴とする電子錠制御システムとした。
【００１８】
また、電気的な信号により解錠できる電子錠と、前記電子錠により施錠されるドアと、ＩＤコードを内蔵する非接触ＩＣカードと、前記ＩＤコード情報を非接触で読出し可能な、非接触ＩＣカード読取装置と、ＩＤコード情報とそれぞれのＩＤコード情報の有効／無効の情報を保持するＩＤコード情報保持手段と、前記非接触ＩＣカード読取装置によって読取られたＩＤコードと前記ＩＤコード情報保持手段の保持する情報を照合し、有効な非接触ＩＣカードであると判断したら、前記電子錠に解錠のための信号を送る、解錠判断手段を有する電子錠制御システムであって、
さらに、複数のＩＤコードをひとつのグループとして、複数のＩＤコードのグループ情報を保持するＩＤコード・グループ情報保持手段と、ＩＤコード・グループを無効にする時には、所定の作業指示カードによって起動された後、ひとつの非接触ＩＣカードの読取で、そのカードの属するグループ全てのＩＤコードを特定して、無効化することができるＩＤコード・グループ無効化手段と、さらに無効にされたＩＤコード・グループを再び有効にする時には、別の所定の作業指示カードによって起動された後、ひとつの非接触ＩＣカードの読取で、同じグループに属していたすべての非接触ＩＣカードのＩＤコードを特定して有効化することができるＩＤコード・グループ再有効化手段と、を備えたことを特徴とする電子錠制御システムとした。
【００１９】
また、電気的な信号により解錠できる電子錠と、前記電子錠により施錠されるドアと、ＩＤコードを内蔵する非接触ＩＣカードと、前記ＩＤコードを非接触で読出し可能な、非接触ＩＣカード読取装置と、ＩＤコード情報とそれぞれのＩＤコードの有効／無効の情報を保持するＩＤコード情報保持手段と、前記非接触ＩＣカード読取装置によって読取られたＩＤコードと前記ＩＤコード情報保持手段の保持する情報を照合し、有効な非接触ＩＣカードであると判断したら、前記電子錠に解錠のための信号を送る、解錠判断手段を有する電子錠制御システムであって、
さらに、２個づつのＩＤコードのペアの関係を保持するＩＤコード・ペア情報保持手段と、あるＩＤコードを無効にする時には、所定の作業指示カードによって起動された後、ひとつの非接触ＩＣカードの読取で、それとペアの非接触ＩＣカードのＩＤコードを特定して、無効化することができるＩＤコード・ペア無効化手段と、さらに無効にされたＩＤコードを再び有効にする時には、別の所定の作業指示カードによって起動された後、ひとつの非接触ＩＣカードの読取で、それとペアの非接触ＩＣカードのＩＤコードを特定して、有効化することができるＩＤコード・ペア再有効化手段と、さらに前記ペアのカードをさらに複数個集めてグループとして、その複数のグループへの所属情報とグループ毎の有効／無効の情報とを保持するＩＤコード・グループ情報保持手段と、ＩＤコード・グループを無効にする時には、更に別の所定の作業指示カードによって起動された後、ひとつの非接触ＩＣカードの読取で、そのカードの属するグループに属する全てのＩＤコードも無効化することができる、ＩＤコード・グループ無効化手段と、さらに、無効にされたＩＤコード・グループを再び有効にする時には、また更に別の作業指示カードで起動された後、ひとつの非接触ＩＣカードの読取で、同じグループに属していたすべての非接触ＩＣカードのＩＤコードを特定して有効化することができるＩＤコード・グループ再有効化手段と、を備えたことを特徴とする電子錠制御システムとした。
【考案の効果】
【００２０】
このようにＩＤコードをペアで管理するようになしたので、紛失した１枚の非接触ＩＣカードの登録抹消を、もう１枚のカードを使って速やかに行うことができるようになった。登録抹消といってもＩＤコード情報自体は削除せずに無効にしているので、同じ手順によって、登録を復旧することもできるようになった。この２枚のペアのカードの１枚をユーザーに渡し、もう１枚を管理者が保管しておくようにすれば、ＩＤコードを紙に記録したりせずに、簡単に管理することができる。
また、必要ならばグループで登録することにより、１つのグループをまとめて削除したり、逆に復活させたりすることもできるようになった。この場合も、グループの中の１枚を管理者が保管しておけば、管理が簡単になる。
また、ペア毎にグループで登録することも可能になしたので、入居する家族単位や会社単位などでの管理や、あるいは、さらに建物全体での管理と二重化するといったことも可能になった。
【考案を実施するための最良の形態】
【００２１】
以下、図面を参照しながら、この考案の実施例を示す。
【実施例１】
【００２２】
図１は、本考案の１実施例の概略の構成を示す図である。本考案の電磁錠制御装置は、非接触ＩＣカードにより、ドアに取り付けられた電子錠の解錠制御を行うものある。その解錠制御は、非接触カード読取装置により非接触ＩＣカードから読み出されるＩＤコード情報と、ＩＤコード情報保持手段が保持しているＩＤコード情報とを解錠判断手段で、照合し判断して、電磁錠に解錠の信号を出すようになっている。さらに、ＩＤコード・ペア情報保持手段に、ＩＤコード２つ１組のペアを示す情報を保有している。そこで、ＩＤコード・ペア無効化手段が作動した場合には、非接触ＩＣカード読取装置から、１枚のカードのＩＤコードが読取られると、その登録されているペアの２つのＩＤコードが無効とされる。さらに、ＩＤコード・ペア再有効化手段が作動した場合は、非接触ＩＣカード読取装置から、１枚のカードのＩＤコードが読取られると、その登録されているペアの２つのＩＤコードが有効に戻される。
【００２３】
ここでいう解錠判断手段は、具体的にはマイクロコンピュータとその周辺回路、及びプログラムで構成され、ＩＤコード保持手段や、ＩＤコード・ペア情報保持手段などは、不揮発性のメモリ回路で実現され、ＩＤコード・ペア無効化手段や、ＩＤコード・ペア再有効化手段は、マイクロコンピュータで実行されるプログラムの一部として実装されてもよい。
【００２４】
図３に、電磁錠制御システムの構成例の外観を示す。ここでは、電磁石の力でドアを吸着する電磁錠が、ドアの上部に設置されて、これによりドアが施錠されるようになっている。また、非接触ＩＣカード読取装置が、操作のできる適当な位置に設置されている。それ以外の本システムの構成部分は、制御装置収納盤内部に収納されている。また、ここでは、中から外へ出る際には、簡単にドアが開けられるように、内側には解錠ボタンを設けてある。
【００２５】
ここで、図１２により、各種の情報の保持の例を示す。この図は、ＩＤコード情報、ペア情報、グループ情報の持ち方の一例を示したものである。ここでは、簡便のためにＩＤコードを１０桁の整数としている。また、ペア情報をペアの番号という形で表現し、グループ情報をグループの番号という形で保持し、更に有効か無効かを示す情報を有し、これらの情報がそれぞれのＩＤコードに対応させて保持されているような構成になっている。この構成はもっぱら説明をしやすくするための構成であって、データ構造やその構成を限定するものではない。
【００２６】
図５において、本考案の処理の手順を示す。カードの種類には、通常時に解錠処理を行うための通常カードと、登録や無効化などの作業を開始させるための各種の作業指示カードとがある。ここでは、作業指示カードは、登録用カード、無効化用カード、再有効化用カードの３種類とする。
まず、非接触ＩＣカード読取装置により、非接触ＩＣカードからＩＤコードが読取られると、そのカードの種類が判別され、通常カードである場合には、そのＩＤコードの有効性が判定されて、有効なカードであれば、解錠処理が行われる。解錠処理とは、電子錠の種類が図３のような電磁錠である場合には、その電流を遮断して電磁石を切り、ドアが開くようにすることになる。
【００２７】
読み込まれたカードの種類が登録用カードの場合には登録処理が、無効化用カードの場合には無効化処理が、また、再有効化カードの場合は再有効化処理が行われる。そこで、図６に登録処理の手順を示す。ここで、再びカードを読取らせるが、それが通常カードの場合は、登録対象のカードであると判断して、ＩＤコードを記録する。１枚目の記録後に、別の通常カードを読取らせると、先のカードとペアとして記録され、登録処理が終了する。図１２で言えば、記録された１組のＩＤコードに対して、同じペア番号が設定され、有効／無効情報が有効に設定される。
【００２８】
また、図７に無効化処理の手順を示す。ここでカードを読取らせると、それが通常カードの場合は、無効化対象のカードであると判断して、確かに登録されていた場合には、ペアとなるＩＤコードと一緒に無効化処理を行う。無効化処理とは、図１２のＩＤコード毎の有効／無効情報を無効に設定するものである。
【００２９】
また、図８に再有効化処理の手順を示す。ここでカードを読取らせると、それが通常カードの場合は、再有効化対象のカードであると判断して、確かに登録されていた場合には、ペアとなるＩＤコードと一緒に最有効化処理を行う。再有効化処理とは、図１２のＩＤコード毎の有効／無効情報を有効に設定しなおすものである。
【００３０】
このような構成になしたので、非接触ＩＣカードを１枚だけ無くしたとしても、管理者がペアのカードを用いれば、他のカード所有者には、ほとんど迷惑をかけないで、速やかに、そのＩＤコードのみを無効にすることができるようになった。また、万一、誤って別のＩＤコードを無効化してしまった場合でも、その無効になったＩＤコードを内蔵する非接触ＩＣカードの持ち主への迷惑を最小限にして、再有効化することもできるようになった。
【００３１】
なお、ここでは、簡単化のために説明を省略したが、同じカードの二重登録を防ぐ処理が必要となることは言うまでもない。また、ペアのカードを紛失して残ったカードを、別のカードとペアにして、再登録するといった場合には、元のペアであったカードのＩＤコードは、抹消するようにする。
【実施例２】
【００３２】
図２は、別の実施例の概略の構成を示す図である。ＩＤコード・グループ情報保持手段に、各ＩＤコードの属するグループを示す情報を保有している。そこで、ＩＤコード・グループ無効化手段が作動した場合には、非接触ＩＣカード読取装置から、１枚のカードのＩＤコードが読取られると、その登録されているグループ全てのＩＤコードが無効とされる。さらに、ＩＤコード・グループ再有効化手段が作動した場合は、非接触ＩＣカード読取装置から、１枚のカードのＩＤコードが読取られると、その登録されているグループ全てのＩＤコードが有効に戻される。
【００３３】
ここでは、図５の登録、無効化、再有効化を、それぞれ、グループ登録、グループ無効化、グループ再有効化と読み替える。図９にグループ登録処理の手順を示す。ここで、カードを読取らせるが、それが通常カードの場合は、登録対象のカードであると判断され、グループに登録される。これ以後に、読取られたカードも通常カードであれば、続けて同じグループに登録される。読取られたカードが通常カードでない時に終了する。ここでグループ登録とは、図１２において、ＩＤコードを登録し、複数のＩＤコードに同じグループ番号を付け、さらに有効／無効情報を有効に設定することである。
【００３４】
図１０にグループ無効化処理の手順を示す。ここで、カードを読取らせると、それが通常カードで、登録済みであった場合には、そのＩＤコードの属するグループ全てのＩＤコードを無効にする。
図１１には、グループ再有効化の手順を示す。ここで、カードを読取らせると、それが通常カードで、登録済みであった場合には、そのＩＤコードの属するグループ全てのＩＤコードを有効に戻す。
【００３５】
このような構成になしたので、使用者をグループで管理して、必要ならばグループ全体のカードを無効化できるようになした。これにより、例えば、入居していたテナントがビルから転出した時に、そのテナント関係者全員からカードの回収が完了する前に、他のテナント関係者には迷惑をかけないで、そのテナントのみのカードを無効化して、セキュリティを保つことができるようになった。
ここでは、簡単化のために記述しなかったが、既存のグループにカードを追加で登録する際は、最初の通常カードが、すでに特定のグループに登録されている場合には、以後の通常カードをそのグループへ登録するようにするといったことが可能であることは言うまでもない。
【実施例３】
【００３６】
図３は、更に別の実施例の概略の構成を示す図である。それぞれの構成要素の機能で、図１及び図２に示したものと異なるのは、ＩＤコード単独での有効／無効の情報と、グループの有効／無効の情報とは別々に保持されていることである。よって、グループでの無効化や再有効化の処理はグループの有効／無効情報のみを変更するので、ペア毎の有効／無効の情報は変化しない。そして、両方とも有効である場合にのみ、解錠処理が行えるように制御される。
【００３７】
このような構成になしたので、グループ内部においては、１枚づつのカードの管理が可能であるし、さらに全体では、グループ毎の管理が可能になった。
例えば、ビルのテナント単位での管理者は、そのテナントの各メンバーに渡したカードに１対１で対応するペアのカードを管理用として保管することで、１枚づつの管理が可能になり、また、ビル全体の管理者は、各テナントのグループカードから１枚づつを管理用として保管することで、各テナント単位での管理が可能になる。
【００３８】
また、ペアカードの片方は携帯電話に内蔵された非接触のＩＣカードでユーザが使用し、他方は管理用の非接触ＩＣカードで管理者が保管するといったことが考えられる。さらにこの管理用のカードは、他の管理用カードと合わせて、リングなどで束ねるなどするほうが、ばらばらの状態より紛失しにくくなる。
【００３９】
なお、ペアカード登録されたカードでグループ登録やグループ削除の処理をする場合、ペアカードの片方を使って処理すれば、ペアのもう１枚は自動的に処理できるようになせばよい。このようにすれば、ペアカードの１枚をユーザに渡したままの状態で、もう１枚を保管している管理者によって、グループへの登録や抹消ができることになる。
【産業上の利用可能性】
【００４０】
マンションなどの集合住宅の共通エントランスのドアに施錠する場合や、多くのテナントが入居するビルの入口ドアに施錠する場合には、本考案のような、ペアでカードを登録する、非接触ＩＣカードを用いた電子錠制御システムを利用することで、カードを紛失しても、セキュリティを保ちやすいようにすることができる。
【図面の簡単な説明】
【００４１】
【図１】第１の実施例の構成を示す図である。
【図２】第２の実施例の構成を示す図である。
【図３】第３の実施例の構成を示す図である。
【図４】電子錠制御システムの外観を示す図である。
【図５】電子錠制御システムの全体の動作の手順を示すフローチャートである。
【図６】カードのペア登録の処理の手順を示すフローチャートである。
【図７】カードのペア無効化の処理の手順を示すフローチャートである。
【図８】カードのペア再有効化の処理の手順を示すフローチャートである。
【図９】カードのグループ登録の処理の手順を示すフローチャートである。
【図１０】カードのグループ無効化の処理の手順を示すフローチャートである。
【図１１】カードのグループ再有効化の処理の手順を示すフローチャートである。
【図１２】ＩＤコード情報とペア情報、グループ情報の保有の一例を示す図である。
【図１】
0003144030.tif 000003
【図２】
0003144030.tif 000004
【図３】
0003144030.tif 000005
【図４】
0003144030.tif 000006
【図５】
0003144030.tif 000007
【図６】
0003144030.tif 000008
【図７】
0003144030.tif 000009
【図８】
0003144030.tif 000010
【図９】
0003144030.tif 000011
【図１０】
0003144030.tif 000012
【図１１】
0003144030.tif 000013
【図１２】
0003144030.tif 000014